(57)【要約】【課題】  風除効果を維持しつつ大量通行も可能とし、しかも、通行者の安全性を向上させる。【解決手段】  建物２の前面に設置されるブース６内に形成された入口通路１２と出口通路１０とを循環して、入口通路１２及び出口通路１０それぞれを非連通状態とするように移動する平面パネル１４ａ乃至１４ｃが設けられている。平面パネル１４ａ乃至１４ｃが、入口通路１２と出口通路１４との内部を平行スライドし、入口通路１２及び出口通路１０の開口において一方の通路から他方の通路に横スライド移動して、スクエア状に循環移動する。【選択図】        図１
2007146548.tif 000002
【特許請求の範囲】
【請求項１】
建物の前面に設置されるブース内に形成された入口通路と出口通路とを循環して、前記入口通路及び出口通路それぞれを非連通状態とするように移動する複数の平面パネルを備え、前記平面パネルが、前記入口通路と前記出口通路とを平行スライド移動し、前記入口通路及び出口通路の開口において一方の通路から他方の通路に横スライド移動してスクエア状に循環移動するように構成されている、出入口装置。
【請求項２】
請求項１記載の出入口装置において、前記入口通路と前記出口通路との間に横スライド移動する平面パネルを一時的に待機させる待機スペースを設けた、出入口装置。
【請求項３】
請求項２記載の出入口装置において、前記待機スペースを、前記ブースの内外を連絡する通路とし、この通路の端に開閉自在なドアを設置した、出入口装置。
【請求項４】
請求項３記載の出入口装置において、前記入口通路と前記出口通路とから前記連絡通路に通行者を通行させる開口を形成した出入口装置。
【請求項５】
請求項１または２記載の出入口装置において、前記平面パネルは、前記入口通路と前記出口通路とにおいて、通路内に向かってスイング可能に構成されている出入口装置。
【請求項６】
請求項１記載の出入口装置において、前記複数の平面パネルは、３枚以上のパネルを１組として循環移動するように構成されている出入口装置。
【発明の詳細な説明】
【技術分野】
【０００１】
本発明は、建物から人が出入りするための出入口装置に関し、特に出入口装置が備えるパネルが自動的に移動するものに関する。
【背景技術】
【０００２】
出入口装置の一例が、特許文献１に開示されている。特許文献１に開示されている出入口装置は、回転ドア装置と称されるもので、平面形状が長円型に形成されたブースが建物の前面に設けられ、このブース内には、長円リング状の移動空間が形成されている。この移動空間内に配置された複数のパネルが、移動空間に沿って移動する。
【０００３】
【特許文献１】特開２００２−２８５７５４号公報
【発明の開示】
【発明が解決しようとする課題】
【０００４】
この回転ドア装置には、建物の内外を通行者が通行しても、建物内に風が吹き込むことを防止できる風除効果があり、多くの通行者を同時に通行させることができるという効果もある。しかし、複数のパネルが連続的に回転しているので、通行者が回転するパネルの動きを予測することが難しく、接近してくるパネルに通行者が衝突したり、回転するパネルと出入口の方立との間に通行者が挟まれたりする虞があった。
【０００５】
本発明は、回転ドアと同様に風除効果を維持し、かつ大量通行を可能としながらも、通行者の安全性を向上させた出入口装置を提供することを目的とする。
【課題を解決するための手段】
【０００６】
本発明の一態様の出入口装置では、建物の前面にブースが設置されている。このブース内には入口通路と出口通路とが形成されている。これら入口通路と出口通路は、建物の内外それぞれに開口を有し、これら入口通路と出口通路の開口は並んで配置されていることが望ましい。これら入口通路と出口通路とは、例えば直線状で並べて配置されることが望ましい。これら入口通路と出口通路とを循環して移動するように複数の平面パネルが設けられている。これら平面パネルは通路を非連通状態とするように移動する。例えば、入口通路の２つの開口間を遮蔽しつつ移動し、同様に出口通路の２つの開口間を遮蔽しつつ移動する。この移動は、前記平面パネルが、前記入口通路と前記出口通路とを平行スライドするように行われる。平面パネルは、入口通路及び出口通路の開口において一方の通路から他方の通路に横スライド移動してスクエア状に循環移動するように構成されている。
【０００７】
このように構成された出入口装置では、入口通路及び出口通路それぞれが平面パネルによって遮断されているので、風除効果があり、また入口通路及び出口通路をそれぞれ通行者が通過するので、大量通行が可能である。しかも、平面パネルは、入口通路及び出口通路の開口に置いて一方の通路から他方の通路に横スライドして移動する。このスライド移動は、通行者にとって馴染みのあるスライド式ドアと同様な動作であるので、通行者は、平面パネルと衝突したり、平面パネルと開口の方立との間に挟まれたりすることが無いように開口から出入りすることが可能となり、安全性が向上する。
【０００８】
入口通路と出口通路との間に横スライドする平面パネルを一時的に待機させる待機スペースを設けることができる。この待機スペースに平面パネルを一旦停止させることによって、平面パネルが一方の通路から離れるときの速度や、他方の通路に移動するときの速度や、一方の通路から他方の通路に移動するタイミングを自由に調整することができ、通行者の安全性を高めることができる。
【０００９】
更に、前記待機スペースを、前記ブースの内外を連絡する通路とし、この通路の端に開閉自在なドアを設置することもできる。このように構成すると、建物内において火災が発生したときに、この通路を避難通路として使用することができるし、或いは建物内に大きな荷物を搬出入する際に、この通路を使用することができる。
【００１０】
更に、前記入口通路と前記出口通路とから前記連絡通路に通行者を通行させる開口を形成することもできる。このように構成すると、何らかの原因で平面パネルが移動不能になった場合に、入口通路及び出口通路にいる通行者を連絡通路を介して外部に避難させることができ、入口通路や出口通路に通行者が閉じ込められることを防止できる。
【００１１】
また、前記平面パネルは、前記入口通路と前記出口通路とにおいて、通路内に向かってスイング可能に構成することができる。このように構成することによって、例えば春や秋のような気候が良く、風除効果が不要な季節には、平面パネルをスイングさせることによって入口通路及び出口通路を両端がそれぞれ開放された通路として使用することができる。もし平面パネルを通路外に向けてスイングさせると、平面パネルが通行者の通行の邪魔となるが、通路内にスイングさせているので、通行者の通行の邪魔になることもない。
【００１２】
前記複数の平面パネルは、３枚以上のパネルを１組として循環移動するように構成することができる。このように構成すると、入口通路及び出口通路内の区画や風除効果を、要求された仕様に応じたものに容易に対応させることができる。
【発明の効果】
【００１３】
以上のように、本発明による出入口装置によれば、回転ドア装置と同様の風除効果を維持しつつ、通行者を大量に通行させることができる上に、スライド式ドアと同様な安全性を保つことができる。
【発明を実施するための最良の形態】
【００１４】
本発明の第１の実施形態の出入口装置では、図１に示すように、建物２の前面に形成された開口４に、ブース６が取り付けられている。このブース６は、内部が空洞とされた概略直方体状のもので、長手側の側壁６ａ、６ｂの中途が開口４に位置している。このブース６の両端部は、建物２の内外それぞれに位置し、開口されている。このブース６の内部における両端部のほぼ中央間に跨って仕切り壁８が設けられている。この仕切り壁８は、側壁６ａ、６ｂに平行で、ブース６内を出口通路１０と入口通路１２とに区画している。
【００１５】
出口通路１０の建物２内の端部開口１０ａから出口通路１０内に入った通行者は、この出口通路１０を出口通路の建物２の外の端部開口１０ｂに向かって移動することによって建物２から出ることができる。逆に、入口通路１２の建物２の外側の端部開口１２ａから入口通路１２内に入った通行者は、入口通路１２の建物２内の端部開口１２ｂに向かって移動することによって建物２内に入ることができる。
【００１６】
ブース６内には、複数、例えば３枚の平面パネル１４ａ、１４ｂ、１４ｃが配置されている。これら平面パネル１４ａ乃至１４ｃは、出口通路１０内に位置するときには、その端部開口１０ａ、１０ｂ間を非連通状態とするように、すなわち遮蔽するように、側壁６ａと仕切り壁８とに跨って位置している。平面パネル１４ａ乃至１４ｃは、平面視した状態で側壁６ａと仕切り壁８とに垂直に位置する。同様に、平面パネル１４ａ乃至１４ｃは、入口通路１２内に位置するときは、その端部開口１２ａ、１２ｂ間を非連通状態とするように、側壁６ｂと仕切り壁８とに跨って位置している。例えば平面パネル１４ａ乃至１４ｃは、平面視した状態で側壁６ｂと仕切り壁８とに垂直に位置する。なお、平面パネル１４ａ乃至１４ｃの高さ寸法は、各端部開口１０ａ、１０ｂ、１２ａ、１２ｂの高さ寸法とほぼ等しい寸法である。
【００１７】
これら平面パネル１４ａ乃至１４ｃは、出口通路１０内では端部開口１０ａ、１０ｂを遮蔽した状態を維持しながら端部開口１０ａ側から端部開口１０ｂ側にスライド移動し、入口通路１２内では端部開口１２ａ、１２ｂを遮蔽した状態を維持しながら端部開口１２ａ側から端部開口１２ｂ側にスライド移動する。これら平面パネル１４ａ乃至１４ｃは、例えば出口通路１０の端部開口１０ｂに到達すると、入口通路１２の端部開口１２ａに向かって横スライドする。このスライドは、端部開口１０ｂを平面パネル１４ａ乃至１４ｃによって閉じていた状態から、徐々にこれを開きつつ、入口通路１２の端部開口１２ａを徐々に閉じるように行われる。平面パネル１４ａ乃至１４ｃが入口通路１２の端部開口１２ｂから出口通路１０の端部開口１０ａに向かって横スライドする場合も同様に移動する。
【００１８】
これら平面パネル１４ａ、１４ｂ、１４ｃは、いずれも等速ｖで移動するように、例えばブース６の上部に設けた図示していない駆動機構によって駆動される。
【００１９】
例えば図１に実線でそれぞれ示すように、平面パネル１４ａが入口通路１２の開口１２ａに位置し、平面パネル１４ｂが入口通路１２の開口１２ｂに位置し、平面パネル１４ｃが出口通路１０のほぼ中央に位置すると仮定する。この状態から所定時間ｔ後には、図１に破線でそれぞれ示すように平面パネル１４ａは、ｔｖだけ端部開口１２ｂ側に移動し、平面パネル１４ｂはｔｖだけ端部開口１０ａ側に移動し、平面パネル１４ｃはｔｖだけ端部開口１０ｂ側に移動する。
【００２０】
この時点から更に所定時間ｔ後には図２にそれぞれ実線で示すように、平面パネル１４ａは、端部開口１２ａから２ｔｖだけ端部開口１２ｂ側に移動し、平面パネル１４ｂは、端部開口１２ｂから端部開口１０ａ側に２ｔｖだけ移動し、平面パネル１４ｃは出口通路１０のほぼ中央から２ｔｖだけ端部開口１０ｂ側に移動する。この時点から更に所定時間ｔ後には図２に破線でそれぞれ示すように、平面パネル１４ａは、端部開口１２ａから３ｔｖだけ端部開口１２ｂ側に移動し、平面パネル１４ｂは、端部開口１２ｂから端部開口１０ａ側に３ｔｖだけ移動し、完全に端部開口１０ａを閉じている。従って、端部開口１２ｂを閉じた状態から端部開口１０ａを閉じた状態までの平面パネル１４ｂの移動距離は３ｔｖである。平面パネル１４ｃは、出口通路１０のほぼ中央から３ｔｖだけ端部開口１０ｂ側に移動している。
【００２１】
この時点から更に所定時間ｔ後には図３にそれぞれ実線で示すように、平面パネル１４ａは、端部開口１２ａから４ｔｖだけ端部開口１２ｂ側に移動し、入口通路１２のほぼ中央に位置する。同時に、平面パネル１４ｂは、端部開口１０ａから端部開口１０ｂ側にｔｖだけ移動している。平面パネル１４ｃは、出口通路１０のほぼ中央から４ｔｖだけ端部開口１０ｂ側に移動し、端部開口１０ｂを完全に閉じている。この時点から更に所定時間ｔ後には、図３にそれぞれ破線で示すように、平面パネル１４ａは、端部開口１２ａから５ｔｖだけ端部開口１２ｂ側に移動する。同時に平面パネル１４ｂは、端部開口１０ａから端部開口１０ｂ側に２ｔｖだけ移動する。平面パネル１４ｃは、端部開口１０ｂから端部開口１２ａ側にｔｖだけ移動する。
【００２２】
この時点から更に所定時間ｔ後には、図４にそれぞれ実線で示すように、平面パネル１４ａは、端部開口１２ａから６ｔｖだけ端部開口１２ｂ側に移動する。平面パネル１４ｂは、端部開口１０ａから端部開口１０ｂ側に３ｔｖだけ移動する。同時に平面パネル１４ｃは、端部開口１０ｂから端部開口１２ａ側に２ｔｖだけ移動する。この時点から所定時間ｔ後には、図４にそれぞれ破線で示すように、平面パネル１４ａは端部開口１２ａから端部開口１０ｂ側に７ｔｖだけ移動する。同時に平面パネル１４ｂは、端部開口１０ａから端部開口１０ｂ側に４ｔｖだけ移動し、出口通路１０のほぼ中央に位置する。平面パネル１４ｃは、端部開口１０ｂから端部開口１２ａ側に３ｔｖだけ移動し、端部開口１２ａを完全に閉じている。
【００２３】
この時点から所定時間ｔ後には、図５にそれぞれ実線で示すように、平面パネル１４ａは端部開口１４ａから８ｔｖだけ端部開口１２ｂ側に移動し、端部開口１２ｂに到達している。即ち、平面パネル１４ａが端部開口１２ａを閉じた状態から端部開口１２ｂを閉じた状態までに平面パネル１４ａが移動する距離は８ｔｖである。平面パネル１４ｂは端部開口１０ａから端部開口１０ｂ側に５ｔｖだけ移動し、平面パネル１４ｃは、端部開口１２ａから端部開口１２ｂ側にｔｖだけ移動している。この時点から所定時間ｔ後には、図５にそれぞれ破線で示すように平面パネル１４ａは、ｔｖだけ端部開口１２ｂから端部開口１０ａ側に移動し、平面パネル１４ｂは、端部開口１０ａから端部開口１０ｂ側に６ｔｖだけ移動し、平面パネル１４ｃは、端部開口１２ａから端部開口１２ｂ側に２ｔｖだけ移動している。
【００２４】
この時点から所定時間ｔ後には、図６にそれぞれ実線で示すように、平面パネル１４ａは、２ｔｖだけ端部開口１２ｂから端部開口１０ａ側に移動し、平面パネル１４ｂは、端部開口１０ａから端部開口１０ｂ側に７ｔｖだけ移動し、平面パネル１４ｃは、端部開口１２ａから端部開口１２ｂ側に３ｔｖだけ移動している。この時点から所定時間ｔ後には、図６にそれぞれ破線で示すように、平面パネル１４ａは、３ｔｖだけ端部開口１２ｂから端部開口１０ａ側に移動し、端部開口１０ａを完全に閉じている。平面パネル１４ｂは、端部開口１０ａから端部開口１０ｂ側に８ｔｖだけ移動し、端部開口１０ｂを完全に閉じている。平面パネル１４ｃは、端部開口１２ａから端部開口１２ｂ側に４ｔｖだけ移動し、入口通路１２のほぼ中央に位置している。即ち、当初の位置から１１ｔｖ時間で各平面パネル１４ａ、１４ｂ、１４ｃは半周する。以下、同様にして、残りの半周を移動し、図１に実線で示す位置に各平面パネル１４ａ、１４ｂ、１４ｃは戻る。
【００２５】
このように移動しているとき、図１乃至図６から明らかなように、出口通路１０と入口通路１２とには平面パネル１４ａ乃至１４ｃのうち１枚が必ず位置し、出口通路１０と入口通路１２とにおける風除効果を維持している。しかも、各平面パネル１４a乃至１４ｃは端部開口１０a、１２aを横スライドしてスクエア状に循環移動するので、通行者は各平面パネルと衝突することが無いように出入りすることができる。
【００２６】
本発明の第２の実施形態の出入口装置は、図７に示すように、４枚の平面パネル１４ａ乃至１４ｄを使用する以外、第１の実施形態と同様に構成されている。同一部分には、同一符号を付して、その説明を省略する。これら平面パネル１４ａ乃至１４ｄは等速ｖ１で移動する。
【００２７】
図７にそれぞれ実線で示すように平面パネル１４ａが入口通路１２の端部開口１２ａに位置し、平面パネル１４ｂが入口通路１２のほぼ中央に位置し、平面パネル１４ｃが出口通路１０の端部開口１０ａに位置し、平面パネル１４ｄが出口通路１０のほぼ中央に位置するとする。この状態から所定時間ｔ経過後には、図７に破線でそれぞれ示すように、平面パネル１４ａは端部開口１２ａから端部開口１２ｂ側にｔｖ１だけ移動し、平面パネル１４ｂは入口通路１２のほぼ中央から端部開口１２ｂ側にｔｖ１だけ移動し、平面パネル１４ｃは端部開口１０ａ側から端部開口１０ｂ側にｔｖ１だけ移動し、平面パネル１４ｄは出口通路１０のほぼ中央位置から端部開口１０ｂ側にｔｖ１だけ移動する。
【００２８】
この時点から所定時間ｔ経過後には、図８にそれぞれ実線で示すように、平面パネル１４ａは端部開口１２ａから２ｔｖ１だけ端部開口１２ｂ側に移動する。平面パネル１４ｂは入口通路１２のほぼ中央から２ｔｖ１だけ端部開口１２ｂ側に移動し、平面パネル１４ｃは端部開口１０ａから２ｔｖ１だけ端部開口１０ｂ側に移動し、平面パネル１４ｄは出口通路１０のほぼ中央の位置から２ｔｖ１だけ端部開口１０ｂ側に移動する。この時点から所定時間ｔ経過後には、図８に破線でそれぞれ示すように、平面パネル１４ａは端部開口１２ａから３ｔｖ１だけ端部開口１２ｂ側に移動し、入口通路１２のほぼ中央の位置に到達する。同時に、平面パネル１４ｂは入口通路１２のほぼ中央の位置から３ｔｖ１だけ端部開口１２ｂ側に移動し、端部開口１２ｂを閉じている。平面パネル１４ｃは、端部開口１０ａから３ｔｖ１だけ端部開口１０ｂ側に移動し、出口通路１０のほぼ中央に位置する。平面パネル１４ｄは、出口通路１０のほぼ中央から３ｔｖ１だけ端部開口１０ｂ側に移動し、端部開口１０ｂを閉じている。
【００２９】
この時点から所定時間ｔ経過後には、図９に実線でそれぞれ示すように、平面パネル１４ａは端部開口１２ａから４ｔｖ１だけ端部開口１２ｂ側に移動し、平面パネル１４ｂは入口通路１２のほぼ中央から４ｔｖ１だけ、即ち端部開口１２ｂを閉じた状態から端部開口１０ａ側にｔｖ１だけ移動している。同様に、平面パネル１４ｃは端部開口１０ａから４ｔｖ１だけ端部開口１０ｂ側に移動し、平面パネル１４ｄは出口通路１０のほぼ中央から４ｔｖ１だけ移動し、即ち端部開口１０ｂを閉じた状態から端部開口１２ａ側にｔｖ１だけ移動している。この時点から所定時間ｔ経過後には、図９に破線でそれぞれ示すように、平面パネル１４ａは端部開口１２ａから５ｔｖ１だけ端部開口１２ｂ側に移動し、平面パネル１４ｂは、入口通路１２のほぼ中央から５ｔｖ１だけ移動し、即ち端部開口１２ｂを閉じた状態から端部開口１０ａ側に２ｔｖ１だけ移動し、端部開口１０ａを閉じている。このように端部開口１２ｂを閉じた状態から端部開口１０ａを閉じる状態までに平面パネル１４ｂは２ｔｖ１だけ移動する。同様に、平面パネル１４ｃは端部開口１０ａから５ｔｖ１だけ端部開口１０ｂ側に移動し、平面パネル１４ｄは出口通路１０のほぼ中央の位置から５ｔｖ１だけ移動し、即ち端部開口１０ｂを閉じた状態から端部開口１２ａ側に２ｔｖ１だけ移動し、端部開口１２ａを閉じている。このように端部開口１０ｂを閉じた状態から端部開口１２ａを閉じる状態までに平面パネル１４ｄは２ｔｖ１だけ移動する。
【００３０】
この時点から所定時間ｔ経過後には、図１０にそれぞれ実線で示すように、平面パネル１４ａは端部開口１２ａから６ｔｖ１だけ端部開口１２ｂ側に移動し、端部開口１２ｂを閉じる。従って、平面パネル１４ａが端部開口１２ａを閉じた状態から端部開口１２ｂを閉じた状態までに移動する距離は６ｔｖ１である。平面パネル１４ｂは入口通路１２のほぼ中央から６ｔｖ１だけ移動し、出口通路１０のほぼ中央よりも端部開口１０ａ側に寄った位置にある。同様に、平面パネル１４ｃは端部開口１０ａから６ｔｖ１だけ端部開口１０ｂ側に移動し、端部開口１０ｂを閉じる。従って、平面パネル１４ｃが端部開口１０ａを閉じた状態から端部開口１０ｂを閉じた状態までに移動する距離は６ｔｖ１である。平面パネル１４ｄは出口通路１０のほぼ中央から６ｔｖ１だけ移動し、入口通路１２のほぼ中央よりも端部開口１２ａ側に寄った位置にある。この時点から所定時間ｔ経過後には、図１０に破線でそれぞれ示すように、平面パネル１４ａは、端部開口１２ａから７ｔｖ１だけ移動し、即ち、端部開口１２ｂから端部開口１０ａ側にｔｖ１だけ移動している。平面パネル１４ｂは、入口通路１２のほぼ中央から７ｔｖ１だけ移動し、出口通路１０のほぼ中央よりも幾分端部開口１０ａ側の位置にある。同様に平面パネル１４ｃは出口通路１０のほぼ中央から７ｔｖ１だけ移動し、即ち端部開口１０ｂから端部開口１２ａ側にｔｖ１だけ移動する。平面パネル１４ｄは、出口通路１０のほぼ中央から７ｔｖ１だけ移動し、入口通路１２のほぼ中央よりも幾分端部開口１２ａ側に寄った位置にある。
【００３１】
この時点から所定時間ｔ経過後には、図１１に実線でそれぞれ示すように、平面パネル１４ａは端部開口１２aから８ｔｖ１だけ移動し、即ち端部開口１２ｂを閉じた状態から端部開口１０ａ側に２ｔｖ１だけ移動し、端部開口１０ａを閉じている。平面パネル１４ｂは入口通路１２のほぼ中央から８ｔｖ１だけ移動し、出口通路１０のほぼ中央に位置する。同様に、平面パネル１４ｃは端部開口１０ａから８ｔｖ１だけ移動し、即ち端部開口１０ｂを閉じた状態から端部開口１２a側に２ｔｖ１だけ移動し、端部開口１２ａを閉じる。平面パネル１４ｄは出口通路１０のほぼ中央から８ｔｖ１だけ移動し、入口通路１２のほぼ中央の位置にある。この時点から所定時間ｔ経過後には、図１１に破線でそれぞれ示すように、平面パネル１４ａは、端部開口１２ａから９ｔｖ１だけ移動し、出口通路１０の端部開口１０aの近傍にある。平面パネル１４ｂは、入口通路１２のほぼ中央から９ｔｖ１だけ移動し、出口通路１０のほぼ中央よりも端部開口１０ｂ側に寄った位置にある。同様に平面パネル１４ｃは出口通路１０のほぼ中央から９ｔｖ１だけ移動し、入口通路１２の端部開口１２aの近傍の位置にある。平面パネル１４ｄは、出口通路１０のほぼ中央から９ｔｖ１だけ移動し、入口通路１２のほぼ中央よりも幾分端部開口１２ｂ側に寄った位置にある。
【００３２】
この時点から所定時間ｔ経過後には、図１２に実線で示すように、平面パネル１４ａは、端部開口１２ａから１０ｔｖ１だけ移動し、出口通路１０のほぼ中央よりも端部開口１０ａ側に位置し、平面パネル１４ｂは入口通路１２のほぼ中央の位置から１０ｔｖ１だけ移動し、出口通路１０の端部開口１０ｂ近傍に位置している。同様に平面パネル１４ｃは、出口通路１０の端部開口１０ａから１０ｔｖ１だけ移動し、入口通路１２のほぼ中央よりも幾分端部開口１２ａ側に位置し、平面パネル１４ｄは、出口通路１０のほぼ中央の位置から１０ｔｖ１だけ移動し、入口通路１２の端部開口１２ｂ近傍に位置している。この時点から所定時間ｔ経過後には、図１２に破線で示すように、平面パネル１４ａは端部開口１２ａから１１ｔｖ１だけ移動し、出口通路１０のほぼ中央の位置にある。平面パネル１４ｂは、入口通路１２のほぼ中央から１１ｔｖ１だけ移動し、出口通路１０の端部開口１０ｂを閉じている。同様に平面パネル１４ｃは、出口通路１０のほぼ中央から１１ｔｖ１だけ移動し、入口通路１２のほぼ中央に位置し、平面パネル１４ｄは出口通路１２のほぼ中央から１１ｔｖ１だけ移動し、入口通路１２の端部開口１２ｂを閉じている。
【００３３】
この時点から所定時間ｔ経過後には、図１３に実線で示すように、平面パネル１４ａは、端部開口１２ａから１２ｔｖ１だけ移動し、出口通路１０のほぼ中央から幾分端部開口１０ｂ側に位置し、平面パネル１４ｂは入口通路１２のほぼ中央の位置から１２ｔｖ１だけ移動し、端部開口１０ｂからｔｖ１だけ端部開口１２ａ側に位置している。同様に、平面パネル１４ｃは出口通路１０のほぼ中央位置から１２ｔｖ１だけ移動し、入口通路１２のほぼ中央よりも幾分端部開口１２ｂ側に位置し、平面パネル１４ｄは、出口通路１２のほぼ中央位置から１２ｔｖ１だけ移動し、端部開口１２ｂからｔｖ１だけ端部開口１０a側に位置している。この時点から所定時間ｔ経過後には、図１３に破線で示すように、平面パネル１４ａは端部開口１２ａから１３ｔｖ１だけ移動し、端部開口１０ｂ側近傍に位置し、平面パネル１４ｂは入口通路１２のほぼ中央位置から１３ｔｖ１だけ移動して、即ち端部開口１０ｂからｔｖ１だけ移動して端部開口１２aを閉じている。同様に平面パネル１４ｃは、出口通路１０のほぼ中央位置から１３ｔｖ１だけ移動し、端部開口１２ｂの近傍に位置し、平面パネル１４ｄは、出口通路１０のほぼ中央の位置から１３ｔｖ１だけ移動し、即ち端部開口１２ｂからｔｖ１だけ端部開口１０a側に移動して端部開口１０aを閉じている。
【００３４】
この時点から所定時間ｔ経過後には、図１４に実線で示すように、平面パネル１４ａは、端部開口１２ａから１４ｔｖ１だけ移動し、出口通路１０の端部開口１０ｂを閉じた位置にある。平面パネル１４ｂは入口通路１２のほぼ中央の位置から１４ｔｖ１だけ移動し、端部開口１２aからｔｖ１だけ端部開口１２ｂ側に寄った位置にある。同様に、平面パネル１４ｃは出口通路１０のほぼ中央位置から１４ｔｖ１だけ移動し、端部開口１２ｂを閉じた位置にあり、平面パネル１４ｄは、出口通路１２のほぼ中央位置から１４ｔｖ１だけ移動し、出口通路１０の端部開口１０aからｔｖ１だけ端部開口１０ｂ側に移動した位置にある。この時点から所定時間ｔ経過後には、図１４の破線で示すように、平面パネル１４ａは端部開口１２ａから１５ｔｖ１だけ移動し、端部開口１０ｂからｔｖ１だけ端部開口１２a側に移動した位置にあり、平面パネル１４ｂは入口通路１２のほぼ中央の位置から１５ｔｖ１だけ移動し、入口通路１２のほぼ中央よりも端部開口１２a側に寄った位置にある。同様に平面パネル１４ｃは、出口通路１０のほぼ中央位置から１５ｔｖ１だけ移動し、端部開口１２ｂからｔｖ１だけ端部開口１０a側に移動した位置にあり、平面パネル１４ｄは、出口通路１２のほぼ中央位置から１５ｔｖ１だけ移動し、出口通路１０のほぼ中央の位置よりも端部開口１０a側に寄った位置にある。そして、所定時間ｔ経過後には、即ち図７に実線で示した初期状態から１６ｔｖ１だけ経過したとき、その初期状態に戻る。
【００３５】
図７乃至図１４から明らかなように４枚の平面パネル１４ａ乃至１４ｄが循環移動していく間に、出口通路１０及び入口通路１２それぞれには常に少なくとも１枚の平面パネルが位置し、風除効果を奏している。しかも、各平面パネル１４ａ乃至１４ｄがスクエア状に移動するので、通行者はスライドドアと同様な感覚で通行でき、各平面パネルに衝突することが無いように出入りすることができる。
【００３６】
本発明の第３の実施形態の出入口装置は図１５に示すように、第１の実施形態と同様に３枚の平面パネル１４ａ乃至１４ｃが移動するものであるが、出口通路１０と入口通路１２との間に平面パネルを一時的に待機させる待機スペース１６が形成され、３枚の平面パネル１４ａ乃至１４ｃが等速で移動しない点で異なるものである。なお、待機スペース１６の幅は出口通路１０及び入口通路１２とそれぞれほぼ同じ寸法、即ち平面パネル１４a乃至１４ｃの幅とほぼ同じ寸法に形成されている。他の構成は、第１の実施形態の出入口装置と同一であるので、同一部分には同一符号を付して、その説明を省略する。
【００３７】
図１５に実線で示すように、平面パネル１４ａが端部開口１２ａに位置し、平面パネル１４ｂが端部開口１２ｂに位置し、平面パネル１４ｃが出口通路１０のほぼ中央に位置するとする。この状態から所定時間ｔが経過すると、各平面パネル１４ａ乃至１４ｃはそれぞれ速度ｖ３で移動し、図１５に破線で示すように、平面パネル１４ａは端部開口１２ａからｔｖ３だけ端部開口１２ｂ側に移動し、平面パネル１４ｂは端部開口１２ｂから端部開口１０ａ側にｔｖ３だけ移動し、平面パネル１４ｃは出口通路１０のほぼ中央から端部開口１０ｂ側にｔｖ３だけ移動する。
【００３８】
この時点から所定時間ｔが経過すると、図１６に実線でそれぞれ示すように、平面パネル１４ａは、端部開口１２ａから２ｔｖ３だけ端部開口１２ｂ側に移動し、平面パネル１４ｂは端部開口１２ｂから端部開口１０ａ側に２ｔｖ３だけ移動し、待機スペース１６の建物２内側の端部上に位置し、平面パネル１４ｃは、出口通路１０のほぼ中央から２ｔｖ３だけ端部開口１０ｂ側に移動する。この状態から所定時間ｔが経過すると、図１６に破線で示すように、平面パネル１４ａは、端部開口１２ａから３ｔｖ３だけ端部開口１２ｂ側に移動するが、平面パネル１４ｂは待機スペース１６の建物２側の端部上に位置する状態を維持し、待機している。また平面パネル１４ｃは、出口通路１０のほぼ中央から端部開口１０ｂ側に３ｔｖ３だけ移動する。
【００３９】
この時点から所定時間ｔ経過すると、図１７に実線で示すように、平面パネル１４ａは、端部開口１２ａから端部開口１２ｂ側に４ｔｖ３だけ移動し、平面パネル１４ｂは待機スペース１６の建物２側の端部から速度ｖ４（この速度ｖ４は速度ｖ３よりも遅い速度である）で端部開口１０ａ側に移動する。平面パネル１４ｃは、出口通路１０のほぼ中央から端部開口１０ｂ側に４ｔｖ３だけ移動する。この時点から所定時間ｔが経過すると、図１７に破線で示すように、平面パネル１４ａは、端部開口１２ａから端部開口１２ｂ側に５ｔｖ３だけ移動し、平面パネル１４ｂは、待機スペース１６の建物２側の端部から２ｔｖ４だけ移動し、平面パネル１４ｃは出口通路１０のほぼ中央から端部開口１０ｂ側に５ｔｖ３だけ移動する。
【００４０】
この時点から所定時間ｔが経過すると、図１８に実線で示すように平面パネル１４ａは、端部開口１２ａから６ｔｖ３だけ移動し、入口通路１２のほぼ中央に位置する。平面パネル１４ｂは、速度ｖ４で移動し、待機スペース１６の建物２側の端部から３ｔｖ４だけ移動し、ちょうど端部開口１０ａを閉じた状態になる。また、平面パネル１４ｃは、出口通路１０のほぼ中央から端部開口１０ｂ側に６ｔｖ３だけ移動し、端部開口１０ｂを閉じた状態となる。この時点から所定時間ｔが経過すると、図１８に破線で示すように、平面パネル１４ａは、端部開口１２ａから７ｔｖ３だけ端部開口１２ｂ側に移動し、平面パネル１４ｂは端部開口１０ａから再び速度ｖ３で端部開口１０ｂ側に移動しており、端部開口１０ｂからｔｖ３の距離にある。平面パネル１４ｃは端部開口１０ｂから端部開口１２ａ側にｔｖ３だけ移動している。
【００４１】
この時点から所定時間ｔが経過すると、図１９に実線で示すように、平面パネル１４ａは端部開口１２ａから８ｔｖ３だけ端部開口１２ｂ側に移動し、平面パネル１４ｂは端部開口１０ａから端部開口１０ｂ側に２ｔｖ３だけ移動している。平面パネル１４ｃは端部開口１０ｂから端部開口１２ａ側に移動し、待機スペース１６の建物２の外側の端部上に位置している。この時点から所定時間ｔが経過すると、図１９に破線で示すように、平面パネル１４ａは端部開口１２ａから端部開口１２ｂ側に９ｔｖ３だけ移動し、平面パネル１４ｂは端部開口１０ａから端部開口１０ｂ側に３ｔｖ３だけ移動し、平面パネル１４ｃは、待機スペース１６の建物２側の端部に待機したままである。
【００４２】
この時点から所定時間ｔが経過すると、図２０に実線で示すように、平面パネル１４ａは端部開口１２ａから速度ｖ３で１０ｔｖ３だけ移動し、平面パネル１４ｂは端部開口１０ａから４ｔｖ３だけ移動し、平面パネル１４ｃは待機スペース１６の建物２の外側の端部から速度ｖ４でｔｖ４だけ移動している。この時点から所定時間ｔだけ経過すると、図２０に破線で示すように平面パネル１４ａは端部開口１２ａから１１ｔｖ３だけ移動して、端部開口１２ｂを閉じている。平面パネル１４ｂは端部１０ａから端部１０ｂ側に５ｔｖ３だけ移動し、出口通路１０のほぼ中央に位置している。また、平面パネル１４ｃは速度ｖ４で端部開口１２ａ側に移動し、端部開口１２ａを閉じている。以下、同様にして動作する。
【００４３】
図１５乃至図２０に示すように、必ず出口通路１０と入口通路１２とに１枚の平面パネルが位置するので、風除効果を奏する。しかも、各平面パネル１４ａ乃至１４ｄが端部開口１０ａ、１２ａを横スライドして閉じるときには、出口通路１０と入口通路１２との間の待機スペース１６に一旦停止させて、各平面パネルの速度をｖ４とするので、通行者が平面パネルに衝突しにくい。
【００４４】
なお、図１５に示すように、待機スペース１６の建物２内側の端部及び建物２の外側の端部にそれぞれ開閉自在なドア１６ａ、１６ｂを取り付け、待機スペース１６を避難通路として利用することができる。例えば火災等の非常時にこのドア１６ａ、１６ｂを開くことによって、建物内からの迅速な脱出を可能とすることができる。また、このスペース１６の幅を出口通路１０や入口通路１２の幅よりも広く形成しておけば、大量の通行者が存在する場合や、出口通路１０や入口通路１２から出し入れしにくい大型の荷物の搬出入を容易に行うことができる。この場合、ドア１６ａ及び１６ｂも大型のものとする。また、待機スペース１６を通路として使用しない場合には、出口通路１０及び入口通路１２の内部側の壁体を透明な壁体で構成して、中央の空間部分を展示ケースとしても良い。
【００４５】
また、待機スペース１６の出口通路１０側の壁及び入口通路１２側の壁に、それぞれ出口通路１０及び入口通路１２と連通するドア１６ｃ、１６ｄを設けることもできる。これによって、例えば駆動機構の故障等によって、平面パネル１４ａ乃至１４ｃが作動不能となって、出口通路１０及び入口通路１２内に通行者が閉じ込められたとき、ドア１６ｃ、１６ｄを開くことによって待機スペース１６を避難通路として使用することができる。
【００４６】
図２１の第４の実施形態の出入口装置は、第３の実施形態と同様に待機スペース１６を備え、第２の実施形態と同様に４枚の平面パネル１４ａ乃至１４ｄが移動するものである。但し、平面パネル１４ａ乃至１４ｄは、常に等速では移動しない。
【００４７】
図２１に実線で示すように、平面パネル１４ａは端部開口１２ａを、平面パネル１４ｂは端部開口１２ｂを、平面パネル１４ｃは端部開口１０ａを、平面パネル１４ｄは端部開口１０ｂをそれぞれ閉じているとする。この状態から各平面パネル１４ａ乃至１４ｄは、速度ｖ５で移動する。この移動開始時点から所定時間ｔが経過すると、同図に破線で示すように、平面パネル１４ａは端部開口１２ａから端部開口１２ｂ側にｔｖ５だけ移動し、平面パネル１４ｂは端部開口１２ｂから端部開口１０ａ側にｔｖ５だけ移動し、平面パネル１４ｃは端部開口１０ａから端部開口１０ｂ側にｔｖ５だけ移動し、平面パネル１４ｄは端部開口１０ｂから端部開口１２ａ側にｔｖ５だけ移動している。
【００４８】
この時点から所定時間ｔが経過すると、図２２に実線で示すように、平面パネル１４ａは端部開口１２ａから端部開口１２ｂ側に２ｔｖ５だけ移動し、平面パネル１４ｂは端部開口１２ｂから端部開口１０ａ側に２ｔｖ５だけ移動し、平面パネル１４ｃは端部開口１０ａから端部開口１０ｂ側に２ｔｖ５だけ移動し、平面パネル１４ｄは端部開口１０ｂから端部開口１２ａ側に２ｔｖ５だけ移動している。この時点から所定時間ｔが経過すると、同図に破線で示すように、平面パネル１４ａは端部開口１２ａから端部開口１２ｂ側に３ｔｖ５だけ移動し、平面パネル１４ｂは端部開口１２ｂから端部開口１０ａ側に３ｔｖ５だけ移動し、平面パネル１４ｃは端部開口１０ａから端部開口１０ｂ側に３ｔｖ５だけ移動し、平面パネル１４ｄは端部開口１０ｂから端部開口１２ａ側に３ｔｖ５だけ移動している。
【００４９】
この時点から所定時間ｔが経過すると、図２３に実線で示すように、平面パネル１４ａは端部開口１２ａから端部開口１２ｂ側に４ｔｖ５だけ移動し、平面パネル１４ｂは端部開口１２ｂから端部開口１０ａ側に４ｔｖ５だけ移動し、平面パネル１４ｃは端部開口１０ａから端部開口１０ｂ側に４ｔｖ５だけ移動し、平面パネル１４ｄは端部開口１０ｂから端部開口１２ａ側に４ｔｖ５だけ移動している。この時点から所定時間ｔが経過すると、図２３に破線で示すように、平面パネル１４ａは端部開口１２ａから端部開口１２ｂ側に５ｔｖ５だけ移動し、平面パネル１４ｂは端部開口１２ｂから端部開口１０ａ側に５ｔｖ５だけ移動し、平面パネル１４ｃは端部開口１０ａから端部開口１０ｂ側に５ｔｖ５だけ移動し、平面パネル１４ｄは端部開口１０ｂから端部開口１２ａ側に５ｔｖ５だけ移動している。この時点で、平面パネル１４ｂ、１４ｄは、待機スペース１６の建物２の内側端部及び外側端部上に位置している。
【００５０】
この時点から所定時間ｔが経過すると、図２４に実線で示すように、平面パネル１４ａは端部開口１２ａから端部開口１０ｂ側に６ｔｖ５だけ移動し、平面パネル１４ｃは端部開口１０ａから端部開口１０ｂ側に６ｔｖ５だけ移動している。但し、平面パネル１４ｂ、１４ｄは、待機スペース１６の建物２の内外の端部上に待機したままである。この時点から所定時間ｔが経過すると、図２４に破線で示すように、平面パネル１４ａは端部開口１２ａから端部開口１２ｂ側に７ｔｖ５だけ移動し、平面パネル１４ｃは端部開口１０ａから端部開口１０ｂ側に７ｔｖ５だけ移動している。但し、平面パネル１４ｂ、１４ｄは、待機スペース１６の建物２の内外の端部上に待機したままである。
【００５１】
この時点から所定時間ｔが経過すると、図２５に実線で示すように、平面パネル１４ａは端部開口１２ａから端部開口１２ｂ側に８ｔｖ５だけ移動し、平面パネル１４ｃは端部開口１０ａから端部開口１０ｂ側に８ｔｖ５だけ移動している。但し、平面パネル１４ｂ、１４ｄは、待機スペース１６の建物２の内外の端部上に待機したままである。この時点から所定時間ｔが経過すると、図２５に破線で示すように、平面パネル１４ａは端部開口１２ａから端部開口１２ｂ側に９ｔｖ５だけ移動し、平面パネル１４ｃは端部開口１０ａから端部開口１０ｂ側に９ｔｖ５だけ移動している。但し、平面パネル１４ｂ、１４ｄは、待機スペース１６の建物２の内外の端部上に待機したままである。
【００５２】
この時点から所定時間ｔが経過すると、図２６に実線で示すように平面パネル１４ａは端部開口１２ａから端部開口１２ｂ側に１０ｔｖ５だけ移動し、平面パネル１４ｃは端部開口１０ａから端部開口１０ｂ側に１０ｔｖ５だけ移動している。一方、平面パネル１４ｂは、待機スペース１６の建物２内の端部上から速度ｖ６（この速度ｖ６は速度ｖ５よりも低速である）。で端部開口１０ａ側にｔｖ６だけ移動し、同様に、平面パネル１４ｄも、待機スペース１６の建物２の外側端部上から速度ｖ６で端部開口１２ａ側にｔｖ６だけ移動している。この時点から所定時間ｔが経過すると、図２６に破線で示すように、平面パネル１４ａは端部開口１２ａから端部開口１２ｂ側に１１ｔｖ５だけ移動し、平面パネル１４ｃは端部開口１０ａから端部開口１０ｂ側に１１ｔｖ５だけ移動している。一方、平面パネル１４ｂは、待機スペース１６の建物２内の端部上から端部開口１０ａ側に２ｔｖ６だけ移動し、同様に、平面パネル１４ｄも、待機スペース１６の建物２の外側端部上から端部開口１２ａ側に２ｔｖ６だけ移動している。
【００５３】
この時点から所定時間ｔが経過すると、図２７に実線で示すように平面パネル１４ａは端部開口１２ａから端部開口１２ｂ側に１２ｔｖ５だけ移動し、平面パネル１４ｃは端部開口１０ａから端部開口１０ｂ側に１２ｔｖ５だけ移動している。一方、平面パネル１４ｂは、待機スペース１６の建物２内の端部上から３ｔｖ６だけ移動し、平面パネル１４ｄも、待機スペース１６の建物２の外側端部上から端部開口１２ａ側に３ｔｖ６だけ移動している。この時点から所定時間ｔが経過すると、図２７に破線で示すように、平面パネル１４ａは端部開口１２ａから端部開口１２ｂ側に１３ｔｖ５だけ移動し、平面パネル１４ｃは端部開口１０ａから端部開口１０ｂ側に１３ｔｖ５だけ移動している。一方、平面パネル１４ｂは、待機スペース１６の建物２内の端部上から端部開口１０ａ側に４ｔｖ６だけ移動し、同様に、平面パネル１４ｄも、待機スペース１６の建物２の外側端部上から端部開口１２ａ側に４ｔｖ６だけ移動している。
【００５４】
この時点から所定時間ｔが経過すると、図２８に実線で示すように平面パネル１４ａは端部開口１２ａから端部開口１２ｂ側に１４ｔｖ５だけ移動し、平面パネル１４ｃは端部開口１０ａから端部開口１０ｂ側に１４ｔｖ５だけ移動している。一方、平面パネル１４ｂは、待機スペース１６の建物２内の端部上から５ｔｖ６だけ移動し、平面パネル１４ｄも、待機スペース１６の建物２の外側端部上から端部開口１２ａ側に５ｔｖ６だけ移動している。この時点から所定時間ｔが経過すると、図２８に破線で示すように、平面パネル１４ａは端部開口１２ａから端部開口１２ｂ側に１５ｔｖ５だけ移動し、平面パネル１４ｃは端部開口１０ａから端部開口１０ｂ側に１５ｔｖ５だけ移動している。一方、平面パネル１４ｂは、待機スペース１６の建物２内の端部上から端部開口１０ａ側に６ｔｖ６だけ移動し、同様に、平面パネル１４ｄも、待機スペース１６の建物２の外側端部上から端部開口１２ａ側に６ｔｖ６だけ移動している。
【００５５】
この時点から所定時間ｔが経過すると、図２９に実線で示すように平面パネル１４ａは端部開口１２ａから端部開口１２ｂ側に１６ｔｖ５だけ移動し、平面パネル１４ｃは端部開口１０ａから端部開口１０ｂ側に１６ｔｖ５だけ移動している。一方、平面パネル１４ｂは、待機スペース１６の建物２内の端部上から７ｔｖ６だけ移動し、平面パネル１４ｄも、待機スペース１６の建物２の外側端部上から端部開口１２ａ側に７ｔｖ６だけ移動している。この時点から所定時間ｔが経過すると、図２９に破線で示すように、平面パネル１４ａは端部開口１２ａから端部開口１２ｂ側に１７ｔｖ５だけ移動し、平面パネル１４ｃは端部開口１０ａから端部開口１０ｂ側に１７ｔｖ５だけ移動している。一方、平面パネル１４ｂは、待機スペース１６の建物２内の端部上から端部開口１０ａ側に８ｔｖ６だけ移動し、同様に、平面パネル１４ｄも、待機スペース１６の建物２の外側端部上から端部開口１２ａ側に８ｔｖ６だけ移動している。
【００５６】
この時点から所定時間ｔが経過すると、図３０に実線で示すように平面パネル１４ａは端部開口１２ａから端部開口１２ｂ側に１８ｔｖ５だけ移動し、平面パネル１４ｃは端部開口１０ａから端部開口１０ｂ側に１８ｔｖ５だけ移動している。一方、平面パネル１４ｂは、待機スペース１６の建物２内の端部上から９ｔｖ６だけ移動し、平面パネル１４ｄも、待機スペース１６の建物２の外側端部上から端部開口１２ａ側に９ｔｖ６だけ移動している。この時点から所定時間ｔが経過すると、図３０に破線で示すように、平面パネル１４ａは端部開口１２ａから端部開口１２ｂ側に１９ｔｖ５だけ移動し、平面パネル１４ｃは端部開口１０ａから端部開口１０ｂ側に１９ｔｖ５だけ移動している。一方、平面パネル１４ｂは、待機スペース１６の建物２内の端部上から端部開口１０ａ側に１０ｔｖ６だけ移動し、同様に、平面パネル１４ｄも、待機スペース１６の建物２の外側端部上から端部開口１２ａ側に１０ｔｖ６だけ移動している。
【００５７】
この時点から所定時間ｔが経過すると、図３１に実線で示すように平面パネル１４ａは端部開口１２ａから端部開口１２ｂ側に２０ｔｖ５だけ移動し、平面パネル１４ｃは端部開口１０ａから端部開口１０ｂ側に２０ｔｖ５だけ移動している。一方、平面パネル１４ｂは、待機スペース１６の建物２内の端部上から１１ｔｖ６だけ移動し、平面パネル１４ｄも、待機スペース１６の建物２の外側端部上から端部開口１２ａ側に１１ｔｖ６だけ移動している。この時点から所定時間ｔが経過すると、図３１に破線で示すように、平面パネル１４ａは端部開口１２ａから端部開口１２ｂ側に２１ｔｖ５だけ移動し、端部開口１２ｂを閉じ、平面パネル１４ｃは端部開口１０ａから端部開口１０ｂ側に２１ｔｖ５だけ移動し、端部開口１０ｂを閉じている。一方、平面パネル１４ｂは、待機スペース１６の建物２内の端部上から端部開口１０ａ側に１２ｔｖ６だけ移動し、端部開口１０ａを閉じ、平面パネル１４ｄも、待機スペース１６の建物２の外側端部上から端部開口１０ａ側に１２ｔｖ６だけ移動し、端部開口１０ａを閉じている。以下、同様にして動作する。
【００５８】
図２１乃至図３１から明らかなように、平面パネル１４ａ乃至１４ｄが移動する間には、出口通路１０及び入口通路１２それぞれ内には常に少なくとも１枚の平面パネルが位置し、風除効果を奏している。また、端部開口１０ａ、１２ａが平面パネル１４ａ乃至１４ｄのいずれかが横スライドして閉じられるとき、各平面パネルを待機スペース１６に一旦停止させてその速度はｖ６と低速にするので、通行者が平面パネルに接触しにくい。
【００５９】
また、図３２に示すように、各平面パネル１４ａ乃至１４ｄは、それぞれ一方の端を回転軸として回転自在に構成され、出口通路１０及び入口通路１２の外壁６ａ、６ｂにそれの主表面が接触するようにスイングさせることができる。或いは、図３３に示すように、２枚の平面パネル、例えば平面パネル１４ｂと１４ｄとを待機スペース１６の両端部上に待避させ、残りの２枚の平面パネル１４ａ、１４ｃを出口通路１０と入口通路１２の外壁６ａ、６ｂに接触させるようにスイングさせることもできる。平面パネル１４ａ乃至１４ｄをスイングさせることができるので、例えば風除効果が不要な季節には、出口通路１０及び入口通路１２をそれぞれ両端が開放された通路として使用することができる。しかも、これら平面パネル１４ａ乃至１４ｄは、出口通路１０と入口通路１２の端部からこれらの外側にスイングさせるのではなく、これら通路１０、１２の内部側にスイングさせているので、平面パネル１４ａ乃至１４ｄがブースの外に出ることがなく通行者の通行の邪魔になることもない。なお、平面パネル１４ａ乃至１４ｄは、それらの主表面が出口通路１０及び入口通路１２の待機スペース側の壁に接触するようにスイング方向を変えることができる。無論、平面パネルを３枚使用している場合でも、同様にスイングさせることができる。
【００６０】
また、図２１に実線で示すように、第３の実施態様と同様に、待機スペース１６の建物内外の端部にそれぞれ開閉自在なドア１６a、１６ｂを取り付けて待機スペース１６を通路としてもよく、平面パネル１４ａが端部開口１２ａを、平面パネル１４ｂが端部開口１２ｂを、平面パネル１４ｃが端部開口１０ａを、平面パネル１４ｄが端部開口１０ｂをそれぞれ閉じている状態として、待機スペース１６の内外の端部の開放ドア１６ａ、１６ｂを開くことによって、緊急時、例えば火災発生時等に、万一停電等によって平面パネル１４ａ乃至１４ｄが起動できない場合でも、速やかに建物２内の人を屋外に脱出させることができる。
【００６１】
上記の各実施の形態では、３枚または４枚の平面パネルを使用したが、これに限ったものではなく、３枚以上であれば、更に多くの平面パネルを使用することもできる。
【図面の簡単な説明】
【００６２】
【図１】本発明の第１の実施形態の出入口装置の初期状態及び所定時間ｔ後の平面パネルの位置を示す平面図である。
【図２】図１の出入口装置の初期状態から２ｔ時間及び３ｔ時間後の平面パネルの位置を示す平面図である。
【図３】図１の出入口装置の初期状態から４ｔ時間及び５ｔ時間後の平面パネルの位置を示す平面図である。
【図４】図１の出入口装置の初期状態から６ｔ時間及び７ｔ時間後の平面パネルの位置を示す平面図である。
【図５】図１の出入口装置の初期状態から８ｔ時間及び９ｔ時間後の平面パネルの位置を示す平面図である。
【図６】図１の出入口装置の初期状態から１０ｔ時間及び１１ｔ時間後の平面パネルの位置を示す平面図である。
【図７】本発明の第２の実施形態の出入口装置の初期状態及び所定時間ｔ後の平面パネルの位置を示す平面図である。
【図８】図７の出入口装置の初期状態から２ｔ時間及び３ｔ時間後の平面パネルの位置を示す平面図である。
【図９】図７の出入口装置の初期状態から４ｔ時間及び５ｔ時間後の平面パネルの位置を示す平面図である。
【図１０】図７の出入口装置の初期状態から６ｔ時間及び７ｔ時間後の平面パネルの位置を示す平面図である。
【図１１】図７の出入口装置の初期状態から８ｔ時間及び９ｔ時間後の平面パネルの位置を示す平面図である。
【図１２】図７の出入口装置の初期状態から１０ｔ時間及び１１ｔ時間後の平面パネルの位置を示す平面図である。
【図１３】図７の出入口装置の初期状態から１２ｔ時間及び１３ｔ時間後の平面パネルの位置を示す平面図である。
【図１４】図７の出入口装置の初期状態から１４ｔ時間及び１５ｔ時間後の平面パネルの位置を示す平面図である。
【図１５】本発明の第３の実施形態の出入口装置の初期状態及び所定時間ｔ後の平面パネルの位置を示す平面図である。
【図１６】図１５の出入口装置の初期状態から２ｔ時間及び３ｔ時間後の平面パネルの位置を示す平面図である。
【図１７】図１５の出入口装置の初期状態から４ｔ時間及び５ｔ時間後の平面パネルの位置を示す平面図である。
【図１８】図１５の出入口装置の初期状態から６ｔ時間及び７ｔ時間後の平面パネルの位置を示す平面図である。
【図１９】図１５の出入口装置の初期状態から８ｔ時間及び９ｔ時間後の平面パネルの位置を示す平面図である。
【図２０】図１５の出入口装置の初期状態から１０ｔ時間及び１１ｔ時間後の平面パネルの位置を示す平面図である。
【図２１】本発明の第４の実施形態の出入口装置の初期状態及び所定時間ｔ後の平面パネルの位置を示す平面図である。
【図２２】図２１の出入口装置の初期状態から２ｔ時間及び３ｔ時間後の平面パネルの位置を示す平面図である。
【図２３】図２１の出入口装置の初期状態から４ｔ時間及び５ｔ時間後の平面パネルの位置を示す平面図である。
【図２４】図２１の出入口装置の初期状態から６ｔ時間及び７ｔ時間後の平面パネルの位置を示す平面図である。
【図２５】図２１の出入口装置の初期状態から８ｔ時間及び９ｔ時間後の平面パネルの位置を示す平面図である。
【図２６】図２１の出入口装置の初期状態から１０ｔ時間及び１１ｔ時間後の平面パネルの位置を示す平面図である。
【図２７】図２１の出入口装置の初期状態から１２ｔ時間及び１３ｔ時間後の平面パネルの位置を示す平面図である。
【図２８】図２１の出入口装置の初期状態から１４ｔ時間及び１５ｔ時間後の平面パネルの位置を示す平面図である。
【図２９】図２１の出入口装置の初期状態から１６ｔ時間及び１７ｔ時間後の平面パネルの位置を示す平面図である。
【図３０】図２１の出入口装置の初期状態から１８ｔ時間及び１９ｔ時間後の平面パネルの位置を示す平面図である。
【図３１】図２１の出入口装置の初期状態から２０ｔ時間及び２１ｔ時間後の平面パネルの位置を示す平面図である。
【図３２】図２１の出入口装置の平面パネルのスイング状態を示す平面図である。
【図３３】図２１の出入口装置の平面パネルの別のスイング状態を示す平面図である。
【符号の説明】
【００６３】
２  建物
６  ブース
１０  出口通路
１２  入口通路
１４ａ乃至１４ｄ  平面パネル
【図１】
2007146548.tif 000003
【図２】
2007146548.tif 000004
【図３】
2007146548.tif 000005
【図４】
2007146548.tif 000006
【図５】
2007146548.tif 000007
【図６】
2007146548.tif 000008
【図７】
2007146548.tif 000009
【図８】
2007146548.tif 000010
【図９】
2007146548.tif 000011
【図１０】
2007146548.tif 000012
【図１１】
2007146548.tif 000013
【図１２】
2007146548.tif 000014
【図１３】
2007146548.tif 000015
【図１４】
2007146548.tif 000016
【図１５】
2007146548.tif 000017
【図１６】
2007146548.tif 000018
【図１７】
2007146548.tif 000019
【図１８】
2007146548.tif 000020
【図１９】
2007146548.tif 000021
【図２０】
2007146548.tif 000022
【図２１】
2007146548.tif 000023
【図２２】
2007146548.tif 000024
【図２３】
2007146548.tif 000025
【図２４】
2007146548.tif 000026
【図２５】
2007146548.tif 000027
【図２６】
2007146548.tif 000028
【図２７】
2007146548.tif 000029
【図２８】
2007146548.tif 000030
【図２９】
2007146548.tif 000031
【図３０】
2007146548.tif 000032
【図３１】
2007146548.tif 000033
【図３２】
2007146548.tif 000034
【図３３】
2007146548.tif 000035